【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
第一方向に配置された、各々の第一糸が複数の第一糸フィラメントの第一糸主体を含んでなる、第一糸セットと、
第二方向に配置された、各々の第二糸が複数の第二糸フィラメントの第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の第一糸接続部ないしフィラメント１インチ当たり約０．５個の第一糸接続部を有し、
第一糸接続部は、第一糸から隣接第二糸の第二糸主体中へと伸びる第一糸フィラメントおよび第二糸上に浮かぶ第一糸の第一糸主体中へと伸びる第二糸フィラメントであり；および
複数の第二糸は、３〜２０本の第一糸上に浮かび、
第一糸上に浮かぶ第二糸は、フィラメント１インチ当たり約０．０１個の第二糸接続部ないしフィラメント１インチ当たり約０．５個の第二糸接続部を有し、
第二糸接続部は、第二糸から隣接第一糸の第一糸主体中へと伸びる第二糸フィラメントおよび第一糸上に浮かぶ第二糸の第二糸主体中へと伸びる第一糸フィラメントである、織布。
【請求項２】
第二糸上に浮かぶ各第一糸との第一糸接続部は、フィラメント１インチ当たり約０．０４個の第一糸接続部ないしフィラメント１インチ当たり約０．２個の第一糸接続部である、請求項１に記載の織布。
【請求項３】
第一糸上に浮かぶ各第二糸との第二糸接続部は、フィラメント１インチ当たり約０．０４個の第二糸接続部ないしフィラメント１インチ当たり約０．２個の第二糸接続部である、請求項１に記載の織布。
【請求項４】
第一方向に配置された、各々の第一糸が複数の第一糸フィラメントの第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の接続部ないしフィラメント１インチ当たり約０．５個の接続部を有し、
接続部は、第一糸から隣接第二糸の第二糸主体中へと伸びる第一糸フィラメントおよび第二糸上に浮かぶ第一糸の第一糸主体中へと伸びる第二糸繊維である、織布。
【請求項５】
第二糸上に浮かぶ各第一糸の間の接続部は、フィラメント１インチ当たり約０．０４個の接続部ないしフィラメント１インチ当たり約０．２個の接続部である、請求項４に記載の織布。
【請求項６】
第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の第一糸接続部ないし糸１ミリメートル当たり約５個の第一糸接続部を有し、
第一糸接続部は、第一糸から隣接第二糸の第二糸主体中へと伸びる第一糸繊維および第二糸上に浮かぶ第一糸の第一糸主体中へと伸びる第二糸繊維であり；および
複数の第二糸は、３〜２０本の第一糸上に浮かび、
第一糸上に浮かぶ第二糸は、糸１ミリメートル当たり約０．１個の第二糸接続部ないし糸１ミリメートル当たり約５個の第二糸接続部を有し、
第二糸接続部は、第二糸から隣接第一糸の第一糸主体中へと伸びる第二糸繊維および第一糸上に浮かぶ第二糸の第二糸主体中へと伸びる第一糸繊維である、織布。
【請求項７】
第二糸上に浮かぶ各第一糸との第一糸接続部は、糸１ミリメートル当たり約０．４個の第一糸接続部ないし糸１ミリメートル当たり約２個の第一糸接続部である、請求項６に記載の織布。
【請求項８】
第一糸上に浮かぶ各第二糸との第二糸接続部は、糸１ミリメートル当たり約０．４個の第二糸接続部ないし糸１ミリメートル当たり約２個の第二糸接続部である、請求項６に記載の織布。
【請求項９】
第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の接続部ないし糸１ミリメートル当たり約５個の接続部を有し、
接続部は、第一糸から隣接第二糸の第二糸主体中へと伸びる第一糸繊維および第二糸上に浮かぶ第一糸の第一糸主体中へと伸びる第二糸繊維である、織布。
【請求項１０】
第二糸上に浮かぶ各第一糸の間の接続部は、糸１ミリメートル当たり約０．４個の接続部ないし糸１ミリメートル当たり約２個の接続部である、請求項９に記載の織布。
【手続補正２】
【補正対象書類名】明細書
【補正対象項目名】０００９
【補正方法】変更
【補正の内容】
【０００９】
接続部の起源は糸内に由来し、そして接続部は糸を固定することから、糸の距離当たりの総接続部の数（特定糸に由来する接続部および特定糸によって固定された接続部の両方の合計）を理解することは有益である。一実施態様において、布１００中に浮かぶ糸は、合計で糸１ミリメートル当たり約０．１個の接続部ないし糸１ミリメートル当たり約５個の接続部を有する。好適な実施態様において、浮糸の領域中の糸は、合計で糸１ミリメートル当たり約０．４個の接続部ないし糸１ミリメートル当たり約２個の接続部を含有する。
【手続補正３】
【補正対象書類名】明細書
【補正対象項目名】００１０
【補正方法】変更
【補正の内容】
【００１０】
糸の繊維は、接続部の起源であることから、異なる糸は、接続部用の繊維の異なる利用性および糸の繊維含量に基づく接続部の量についての異なる要求を有する。フィラメント距離の測定値は、糸束中のフィラメントの数を乗じたフィラメントを有する糸の長さである。したがって、布１００中に浮かぶ糸の領域について、糸のフィラメント距離当たりの総接続部の数（特定糸に由来する接続部および特定糸により固定された接続部の両方の合計）を理解することは有益である。一実施態様において、浮かぶ糸の領域において、糸は、フィラメント１インチ当たり少なくとも約０．０１個の接続部ないしフィラメント１インチ当たり約０．５個の接続部を有する。好適な実施態様において、浮糸の領域中の糸は、フィラメント１インチ当たり約０．０４個の接続部ないしフィラメント１インチ当たり約０．２個の接続部を有する。
【手続補正４】
【補正対象書類名】明細書
【補正対象項目名】００１４
【補正方法】変更
【補正の内容】
【００１４】
（実施例１）
布を５本のフィル糸上に浮かぶ縦糸および５本の縦糸上に浮かぶフィル糸のパターンで織った。布は、２／３００／１３６  ５６Ｔポリエステルフィラメント糸から織った。次いで、布をニードリング加工して布の糸の間に接続部を形成した。Dilo Hyperpunch Double Needle Loom（Dilo Manufacturing Co.）を使用して、布と針床との間の機械方向の相対運動をほとんど有しないか、有しないニードリング運動によって布を針で縫う。針床は、６個のノッチ（針のコーナーエッジ当たり２個）を有する三角形針であるGroz-Beckert F222針を含有した。布の１平方センチメートル当たり約３００回の針の挿入がなされるのに十分な時間、針床を布の両側に挿入した。針の挿入は、布に絡められた針中のノッチの４個の深さであった。ニードリング加工は、糸の浮かぶ部分の領域中に糸１ミリメートル当たり約０．５〜約１個の接続部、そして布中の糸の浮糸領域中にフィラメント１インチ当たり約０．０４７〜約０．０９３個の接続部を生じさせたことが判明した。
【手続補正５】
【補正対象書類名】明細書
【補正対象項目名】００１６
【補正方法】変更
【補正の内容】
【００１６】
（実施例３）
３本のフィル糸上に浮かぶ縦糸、および３本の縦糸上に浮かぶフィル糸を有するパターンとした以外、布を実施例１と同じ糸から形成した。次いで、布を、実施例１と同様に同じニードリング装置および針を使用してニードリング加工した。布を、平方センチメートル当たり約３００回の針の挿入がなされるのに十分な時間、４個のノッチが布に絡む深さに針を挿入して、布の両側を針で縫った。加工は、糸の浮かぶ領域中に糸１ミリメートル当たり約１．８８個の接続部、そして同一領域中にフィラメント１インチ当たり約０．１７５個の接続部を生じさせた。
なお、本発明には、以下の態様が含まれる。
〔１〕  第一方向に配置された、各々の第一糸が複数の第一糸フィラメントの第一糸主体を含んでなる、第一糸セットと、
第二方向に配置された、各々の第二糸が複数の第二糸フィラメントの第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の第一糸接続部ないしフィラメント１インチ当たり約０．５個の第一糸接続部を有し、
第一糸接続部は、第一糸から隣接第二糸の第二糸主体中へと伸びる第一糸フィラメントおよび第二糸上に浮かぶ第一糸の第一糸主体中へと伸びる第二糸フィラメントであり；および
複数の第二糸は、３〜２０本の第一糸上に浮かび、
第一糸上に浮かぶ第二糸は、フィラメント１インチ当たり約０．０１個の第二糸接続部ないしフィラメント１インチ当たり約０．５個の第二糸接続部を有し、
第二糸接続部は、第二糸から隣接第一糸の第一糸主体中へと伸びる第二糸フィラメントおよび第一糸上に浮かぶ第二糸の第二糸主体中へと伸びる第一糸フィラメントである、織布。
〔２〕  第二糸上に浮かぶ各第一糸との第一糸接続部は、フィラメント１インチ当たり約０．０４個の第一糸接続部ないしフィラメント１インチ当たり約０．２個の第一糸接続部である、上記〔１〕に記載の織布。
〔３〕  第一糸上に浮かぶ各第二糸との第二糸接続部は、フィラメント１インチ当たり約０．０４個の第二糸接続部ないしフィラメント１インチ当たり約０．２個の第二糸接続部である、上記〔１〕に記載の織布。
〔４〕  第一糸は、さらにステープル繊維を含んでなる、上記〔１〕に記載の織布。
〔５〕  第二糸は、さらにステープル繊維を含んでなる、上記〔４〕に記載の織布。
〔６〕  第一方向に配置された、各々の第一糸が複数の第一糸フィラメントの第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、フィラメント１インチ当たり約０．０１個の接続部ないしフィラメント１インチ当たり約０．５個の接続部を有し、
接続部は、第一糸から隣接第二糸の第二糸主体中へと伸びる第一糸フィラメントおよび第二糸上に浮かぶ第一糸の第一糸主体中へと伸びる第二糸繊維である、織布。
〔７〕  第二糸上に浮かぶ各第一糸の間の接続部は、フィラメント１インチ当たり約０．０４個の接続部ないしフィラメント１インチ当たり約０．２個の接続部である、上記〔６〕に記載の織布。
〔８〕  第一糸は、さらにステープル繊維を含んでなる、上記〔６〕に記載の織布。
〔９〕  第二糸繊維は、フィラメント繊維を含んでなる、上記〔６〕に記載の織布。
〔１０〕  第二糸繊維は、ステープル繊維を含んでなる、上記〔６〕に記載の織布。
〔１１〕  第二糸繊維は、ステープル繊維およびフィラメント繊維を含んでなる、上記〔６〕に記載の織布。
〔１２〕  第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の第一糸接続部ないし糸１ミリメートル当たり約５個の第一糸接続部を有し、
第一糸接続部は、第一糸から隣接第二糸の第二糸主体中へと伸びる第一糸繊維および第二糸上に浮かぶ第一糸の第一糸主体中へと伸びる第二糸繊維であり；および
複数の第二糸は、３〜２０本の第一糸上に浮かび、
第一糸上に浮かぶ第二糸は、糸１ミリメートル当たり約０．１個の第二糸接続部ないし糸１ミリメートル当たり約５個の第二糸接続部を有し、
第二糸接続部は、第二糸から隣接第一糸の第一糸主体中へと伸びる第二糸繊維および第一糸上に浮かぶ第二糸の第二糸主体中へと伸びる第一糸繊維である、織布。
〔１３〕  第二糸上に浮かぶ各第一糸との第一糸接続部は、糸１ミリメートル当たり約０．４個の第一糸接続部ないし糸１ミリメートル当たり約２個の第一糸接続部である、上記〔１２〕に記載の織布。
〔１４〕  第一糸上に浮かぶ各第二糸との第二糸接続部は、糸１ミリメートル当たり約０．４個の第二糸接続部ないし糸１ミリメートル当たり約２個の第二糸接続部である、上記〔１２〕に記載の織布。
〔１５〕  第一糸繊維は、フィラメント繊維を含んでなる、上記〔１２〕に記載の織布。
〔１６〕  第二糸繊維は、フィラメント繊維を含んでなる、上記〔１５〕に記載の織布。
〔１７〕  第二糸繊維は、ステープル繊維を含んでなる、上記〔１５〕に記載の織布。
〔１８〕  第二糸繊維は、ステープル繊維およびフィラメント繊維を含んでなる、上記〔１５〕に記載の織布。
〔１９〕  第一糸繊維は、ステープル繊維を含んでなる、上記〔１２〕に記載の織布。
〔２０〕  第二糸繊維は、ステープル繊維を含んでなる、上記〔１９〕に記載の織布。
〔２１〕  第二糸繊維は、ステープル繊維およびフィラメント繊維を含んでなる、上記〔１９〕に記載の織布。
〔２２〕  第一糸繊維は、ステープル繊維およびフィラメント繊維を含んでなる、上記〔１２〕に記載の織布。
〔２３〕  第二糸繊維は、ステープル繊維およびフィラメント繊維を含んでなる、上記〔２２〕に記載の織布。
〔２４〕  第一方向に配置された、各々の第一糸が複数の第一糸繊維の第一糸主体を含んでなる、第一糸セットと、
第二方向に配置された、各々の第二糸が複数の第二糸繊維の第二糸主体を含んでなる、第二糸セットと
を含んでなる織布であって；
第一糸セットは、第二糸セットと織り交ぜられ；および
複数の第一糸は、３〜２０本の第二糸上に浮かび、
第二糸上に浮かぶ第一糸は、糸１ミリメートル当たり約０．１個の接続部ないし糸１ミリメートル当たり約５個の接続部を有し、
接続部は、第一糸から隣接第二糸の第二糸主体中へと伸びる第一糸繊維および第二糸上に浮かぶ第一糸の第一糸主体中へと伸びる第二糸繊維である、織布。
〔２５〕  第二糸上に浮かぶ各第一糸の間の接続部は、糸１ミリメートル当たり約０．４個の接続部ないし糸１ミリメートル当たり約２個の接続部である、上記〔２４〕に記載の織布。
〔２６〕  第一糸繊維は、フィラメント繊維を含んでなる、上記〔２４〕に記載の織布。
〔２７〕  第二糸繊維は、フィラメント繊維を含んでなる、上記〔２６〕に記載の織布。
〔２８〕  第二糸繊維は、ステープル繊維を含んでなる、上記〔２６〕に記載の織布。
〔２９〕  第二糸繊維は、ステープル繊維およびフィラメント繊維を含んでなる、上記〔２６〕に記載の織布。
〔３０〕  第一糸繊維は、ステープル繊維を含んでなる、上記〔２４〕に記載の織布。
〔３１〕  第二糸繊維は、ステープル繊維を含んでなる、上記〔３０〕に記載の織布。
〔３２〕  第二糸繊維は、ステープル繊維およびフィラメント繊維を含んでなる、上記〔３０〕に記載の織布。
〔３３〕  第一糸繊維は、ステープル繊維およびフィラメント繊維を含んでなる、上記〔２４〕に記載の織布。
〔３４〕  第二糸繊維は、ステープル繊維およびフィラメント繊維を含んでなる、上記〔３３〕に記載の織布。